(57)【要約】      （修正有）【課題】キャラメル箱タイプの包装容器で、スタンド容器として利用することができる包装容器を提供する。【解決手段】角筒１７の両端にそれぞれ折込蓋が設けられるキャラメル箱タイプの再利用包装容器であって、上記角筒１７は、長さ方向の中間部に裏面片４を残して、該角筒１７を２つに分割するための切取線を入れられ、上記裏面片４は、角筒１７を切取線で２分割したとき、上記角筒１７を分割部から折り曲げるための折り線２１を入れられ、上記角筒１７の一方の端部は、折り曲げられた角筒１７の一方と他方を連結するための連結片１３を内部へ折り込み可能に設けられている。【選択図】図３
0003151173.tif 000002
【実用新案登録請求の範囲】
【請求項１】
角筒の両端にそれぞれ折込蓋が設けられるキャラメル箱タイプの再利用包装容器であって、
上記角筒は長さ方向の中間部に裏面片を残して、該角筒を２つに分割するための切取線を入れられ、
上記裏面片は角筒を切取線で２つに分割したとき、上記角筒を分割部から折り曲げるための折り線を入れられ、
上記角筒の一方の端部は、折り曲げられた角筒の一方と他方を連結するための連結片を内部へ折り込み可能に設けられている
ことを特徴とする再利用包装容器。
【考案の詳細な説明】
【技術分野】
【０００１】
本考案は、不用となるとスタンド容器として利用することができる再利用包装容器に関するものである。
【背景技術】
【０００２】
従来、キャラメル箱タイプの包装容器において、角筒の背面板を除く部分にミシン目を入れ、このミシン目で角筒を胴部と蓋部に分割し、角筒の背面板に分割部に合せて折り目を入れることで、角筒を上記ミシン目で胴部と蓋部に分割して、蓋部を仰開させられるようにしたものは知られている。
【０００３】
しかしながら、上記包装容器は、蓋部を仰開することで内容物の取り出しを容易にすることはできるが、不用になったときにスタンド容器として再利用することはできないのである。
【先行技術文献】
【特許文献】
【０００４】
【特許文献１】実用新案登録第２５４７８００号公報
【考案の概要】
【考案が解決しようとする課題】
【０００５】
解決しようとする課題は、キャラメル箱タイプの包装容器をスタンド容器として再利用することはできない点である。
【課題を解決するための手段】
【０００６】
本考案の再利用包装容器は、不用になると角筒を裏面片を残して長さ方向の中間部から２分割し、裏面片に入れた折り線で折り曲げて、折り曲がった角筒の一方と他方を連結片で連結すると、スタンド容器として再利用することができることを特徴とする。
【考案の効果】
【０００７】
本考案の再利用包装容器は、不用になると捨てられていた包装容器を、簡単にスタンド
ド容器に変換して再利用できるから、資源の活用とゴミの削減による環境保全に大きな貢献をする。
【図面の簡単な説明】
【０００８】
【図１】物品が収容された再利用包装容器を、連結片を角筒の内部へ収納し、一方の折込蓋を開いて示す斜視図。
【図２】使用済みの再利用包装容器の角筒を、裏面片を残して中間部から２つに分割し、角筒の内部から連結片を引き出した斜視図。
【図３】再利用包装容器の２つに分割された角筒を折り曲げて、該角筒の一方と他方を連結片で連結してスタンド容器とした斜視図。
【図４】再利用包装容器を展開した平面図。
【考案を実施するための形態】
【０００９】
本考案は、再利用包装容器の角筒を裏面片を残して長さ方向の中間部から２分割し、裏面片を折り曲げ線で折り曲げて、折り曲げられた各筒の一方と他方を連結片で連結することで、不用になった再利用包装容器をスタンド容器として有効に活用することができる。
【実施例１】
【００１０】
以下に本考案に係る再利用包装容器の実施例を示す。この実施例の再利用包装容器Ａは
、図４にその展開した平面図を示す通り、表面片１、両側面片２及び３、裏面片４、貼合片５、上記表面片１の一端と他端に設けられた折込蓋６及び７、上記両側面片２と３の一端と他端に設けられた耳片８と９及び１０と１１、上記裏面片４の一端に設けられた差込部１２を有する連結片１３の各部片が、図４に示す通りの関係位置で配置されて、上記各部片の間には、図４に２点鎖線で示す通りに折り線１４を入れられ、上記裏面片４の連結片１３が連設されるとは反対側には、上記連結片１３の先端に設けられた差込部１２を差し込むスリット１５を入れられた材料シート１６を用いて、上記折り線１４に従って表面片１、両側面片２及び３、裏面片4、貼合片５を折り曲げると、一方の側面片２に貼合片５が重なるので、側面片２に貼合片５を貼り合わせると、図１〜図３に示す通りの角筒１７が形成される。
【００１１】
上記角筒１７は、再利用包装容器Ａが不用になって、後記するスタンド容器に変換するときに、中間部から折り曲げるものであるから、上記角筒１７の裏面片４を除く表面片１と両側面片２及び３と貼合片５の中間部に、各々を２分割するための切取線１８をそれぞ入れられる。そして、この切取線１８は、図１及び図４に点線で示す通り表面片１は離隔して２条を平行に入れられ、両側面片２及び３と貼合片５は、表面片１側は離隔して裏面側で交わるようにＶ形に入れられて、こうすることで、上記切取線１８を切り離すと、表面片１、両側面片２及び３、貼合片５に、図２に示す通りの切取部１９が生じて角筒１６を２つに分割する。従って、この場合は、２つに分割された角筒１７の開口部は、斜め向きとなって面積も大きいものになる。しかし、表面片１、両側面片２及び３、貼合片５に、図面には示してないが切取線１８を１条だけ入れて、この切取線１８を切り離すだけで切取部１９は作らないようにしても、角筒１７を２つに分割して折り曲ることができるものであることは勿論である。
【００１２】
なお、再利用包装容器Ａは、角筒１７の表面片１に内部の物品を確認できるように窓孔２０をあけられる場合があるので、この場合は、図１に示す通り表面片１が上記窓孔２０で２分割されているから、角筒１７の両側面２及び３と貼合片５だけに上記窓孔２０に合わせて、図１に示す通りに切取線１８を入れ、この切取線１８の切り離しを行って角筒１７を２分割するようにすればよい。
【００１３】
上記の通り中間部から２分割された角筒１７は、分割部から折り曲げて一方は傾斜する容器ｂ1となり、他方は直立して上記容器ｂ１を支持する脚部ｂ２となるスタンド容器Ｂを形成させるものであるから、角筒１７の裏面片４には、分割部に合せて折り線２１を入れて、この折り線２１で角筒１７の折り曲げが簡単にしかも正確に行われるようにする。
【００１４】
また、角筒１７の裏面片４の一方に設けられた連結片１３は、包装容器Ａを乗せ面へ平置きにする場合は、図１に示す通り角筒１の内部へ収納して置くが、包装容器Ａを吊棒（図面省略）へ吊り置きにする場合は、図２に示す通り角筒１７から引き出して、長さ方向の中間部に入れた折り線２２から先の部分を元側へ折り返し、折り返された一部分を角筒１７の中へ収納し、外側へ出る部分に掛孔２３をあけて、この掛孔２３を吊棒（図面省略）へ掛けて吊り置きにする。
【００１５】
上記構成の再利用包装容器Ａは、紙または合成樹脂等の材料から図４に示す材料シート
１５を形成して、公知のことであるため組み立て状態の説明図は省略したが、表面片１と両側面片２、３及び裏面片４と貼合片５を、各々の間に入れられた折り線１４から折り曲げて、貼合片５が一方の側面片３へ重ったら、貼合片５と側面片３を貼り合わせると、図１〜図３に示す通りの角筒１７が形成される。そして、この角筒１７の一端側に設けられた耳片１０と１１を内方へ折り込んでから、折込蓋７も折り込むと角筒１７の一端が閉じられるから、角筒１７の内部へ開口する他端側から物品２４を収容し、物品２４の定量が収容されたら角筒１７の他端側に設けられた耳片８と９を内方へ折り込んだ後、折込蓋６も折り込んで角筒１７の他端側を閉じると、物品２４入りの再利用包装容器Ａが図１に示す通りにできる。
【００１６】
また、上記再利用包装容器Ａが、収納した物品２４がなくなる等で不用になれば、角筒１７の裏面片４を除く表面片１と両側面片２、３及び貼合片５に図４に示す通り入れられている切取線１８を切り離すと、表面片１と両側面片２、３及び貼合片５には、図2に示す通り切取部１９ができて、上記各片を２つに分割するので、この分割部に合せて角筒１７の裏面片４に入れられた折り線２１で裏面片４を折り曲げると、角筒１７は分割部から図３に示す通りに折れ曲がり、一方は傾斜した容器ｂ１となり、他方は直立して上記容器ｂ１を支持する脚部ｂ２となるので、脚部ｂ２側に連接された連結片１３の先端に設けられた差込部１２を容器ｂ１側の裏面片４に形成されたスリット１５へ差し込んで裏面片４に添え着ければ、傾斜する容器ｂ１が、直立して端面をテーブル等へ平らに接する脚部ｂ２に支持されて、安定したスタンド容器Ｂに転換されて、物品２４を収納して整理するスタンド容器として便利に利用できるようになる。
【産業上の利用可能性】
【００１７】
再利用包装容器が不用になると、角筒を２分割して折り曲げることでスタンド容器に転換して、有効に活用できる。
【符号の説明】
【００１８】
Ａ    再利用包装容器
４  裏面片
６と７    折込蓋
１３    連結片
１４    折り線
１７    角筒
１８    切取線
２１    折り線
【図１】
0003151173.tif 000003
【図２】
0003151173.tif 000004
【図３】
0003151173.tif 000005
【図４】
0003151173.tif 000006